(57)【要約】【課題】  従来のゴルフシューズでは、足甲部周方向に沿って延設されたベルト部の先端に面ファスナーを設けるため、足甲部を締め付け過ぎる傾向がある。【解決手段】  左右甲被１ａ，１ｂの間の甲開き部２の周縁部に介設され、足甲部３に周方向の伸縮性を与える伸縮部４と、この伸縮部４の足甲部周方向両側の所要位置に設けた一方の面ファスナー５ａ，５ｂと、裏面に前記一方の面ファスナ５ａ，５ｂと係脱可能な他方の面ファスナー６を設けた砂避け片７とを備えたゴルフシューズＧである。砂避け片７は、甲開き部２の前端部裏面側に一端が取り付けられた舌片８が、甲開き部２の後端部上方で折り返され、つま先部９の方向に向けて延設させた構成としている。【効果】  足を挿入したときに決定された最適な足甲部周方向のサイズをさらに締付けることなく、最適なサイズを維持したまま面ファスナーによる係止が行える。【選択図】        図１
2009034334.tif 000002
【特許請求の範囲】
【請求項１】
左右甲被の間の甲開き部の周縁部に介設され、足甲部に周方向の伸縮性を与える伸縮部と、
この伸縮部の足甲部周方向両側の所要位置に設けた一方の面ファスナーと、
裏面に前記一方の面ファスナと係脱可能な他方の面ファスナーを設けた砂避け片と、
を備えたゴルフシューズであって、
前記砂避け片は、前記甲開き部の前端部裏面側に一端が取り付けられた舌片が、前記甲開き部の後端部上方で折り返され、つま先部の方向に向けて延設されたものであることを特徴とするゴルフシューズ。
【請求項２】
左右甲被の間の甲開き部の周縁部に介設され、足甲部に周方向の伸縮性を与える伸縮部と、
この伸縮部の足甲部周方向両側の所要位置に設けた一方の面ファスナーと、
裏面に前記一方の面ファスナと係脱可能な他方の面ファスナーを設けた砂避け片と、
を備えたゴルフシューズであって、
前記砂避け片は、その一端が足甲部周方向に沿って甲被に固定され、他端が足甲部周方向と直交する向きに延設されたものであることを特徴とするゴルフシューズ。
【請求項３】
前記砂避け片には、足甲部の形状に沿うように弧状の芯材が内包されていることを特徴とする請求項１又は２記載のゴルフシューズ。
【発明の詳細な説明】
【技術分野】
【０００１】
本発明は、足の形状の個人差にかかわらず、足甲部の締付け具合を最適に保つことが可能なゴルフシューズに関する。
【背景技術】
【０００２】
人の足の形状は千差万別であり、つま先から踵までの足長が同じであっても、足甲部の高さが高い人もいれば、低い人もいる。
【０００３】
そこで、従来より、例えば図６に示すような構成の靴紐６１を備えたゴルフシューズが利用されている。図６のゴルフシューズは、複数の靴紐通し６２を有する左右の甲被６３（図６では左側半分のみを図示している。）と、その左右の甲被６３の内側に接するように配置された舌片６４とを備え、左右の靴紐通し６２に靴紐６１を交互に通して締付けることにより、左右の甲被６３を緊締するものである。そして、靴紐６１の締付け具合を調節することにより、足甲部の高さの個人差に対応している。
【０００４】
また、ゴルフシューズでは、バンカーからのショットを行うときなどに靴の中に砂が入り込み易いため、従来より、例えば図７に示すような構成の砂避け片７１を備えたシューズも利用されている。砂避け片７１は、図７に示すように舌片７２や左右甲被の靴紐通しの部分の上面を覆うものであり、これによって舌片７２や靴紐通しの部分に砂が入り込むのを防いでいる。なお、７１ａは、砂避け片７１の上方に設けられた２つの孔であり、靴紐７３を通すことにより、砂避け片７１の外側からでも靴紐７３が結べるように構成されている。
【０００５】
しかしながら、上記のような靴紐６１で足甲部を緊締する構成のゴルフシューズは、靴を履くときに、靴紐６１の締付け具合を確認しながら靴紐通し６２に順に通していく必要があり、締付け具合の調整が難しく、かつ、時間がかかるという問題があった。
【０００６】
また、靴を脱ぐときには、靴紐６１の結び目を解き、左右甲被６３を広げる必要があるため、手間がかかる上、次に靴を履くときは、再び靴紐６１の締付け具合を調節しなければならないという問題があった。
【０００７】
そこで、例えば特許文献１には、図８に示すような構成の面ファスナー８１，８２を用いた構成のゴルフシューズが提案されている。図８の例では、足甲部の周方向に沿って延設された２本のベルト部８３の先端部の裏面に縫合して取付けられている面ファスナー８１には、鈎型あるいはキノコ型等の素子を有する面ファスナー雄材が使用されており、足甲部の左側に縫合して取付けられている面ファスナー８２には、面ファスナー８１と係止可能なループ形の素子を有する編み部材をフィルム等の基材に積層した面ファスナー雌材が使用されている。なお、８４は、靴の中に砂が入りにくいように、ベルト部８３の一部を覆う砂避け片を示している。
【特許文献１】実開平３−１６４０８号公報
【０００８】
上記のような構成のゴルフシューズによれば、靴紐で緊締するのではなく、面ファスナー８１，８２を係止させる位置を適宜調節することにより足甲部の締付け具合を調整することができるので、その調整が容易に行えるという利点がある。
【発明の開示】
【発明が解決しようとする課題】
【０００９】
ところが、図８に示すような構成の従来のゴルフシューズは、足甲部の周方向に沿って延設されたベルト部８３を、足甲部周方向に引っ張りながら面ファスナー８１，８２を互いに係止させるため、足甲部を必要以上に締め付け過ぎてしまうという問題があった。そのため、プレーの開始時点では適切な締め付け具合と思って面ファスナー８１，８２の係止位置を決めていても、プレーの後半になると徐々に締め付けがきつくなり、足の血行を悪くさせている場合があった。
【００１０】
また、図８に示すような構成のゴルフシューズは、砂避け片８４が風になびいて裏返ると、ベルト部８３の隙間から甲開き部を通って砂が入り込むという問題があった。この点は、図７に示すような靴紐７３を用いた構成のゴルフシューズにおいても、孔７１ａを設ける位置が足甲部の上方寄りとなっていれば、同様の問題が生じていた。
【００１１】
本発明が解決しようとする問題点は、靴紐を利用した従来のゴルフシューズでは、足甲部の締付け具合の調整が難しく、靴を脱ぐときに解いた靴紐を履くときに再び結ぶ必要があって手間がかかるという点、及び、面ファスナーを利用した従来のゴルフシューズでは、足甲部周方向に沿って延設されたベルト部の先端に面ファスナーを設けるため、足甲部を締め付け過ぎる傾向がある点である。
【課題を解決するための手段】
【００１２】
上記の問題点を解決するために、本発明のゴルフシューズは、
左右甲被の間の甲開き部の周縁部に介設され、足甲部に周方向の伸縮性を与える伸縮部と、
この伸縮部の足甲部周方向両側の所要位置に設けた一方の面ファスナーと、
裏面に前記一方の面ファスナと係脱可能な他方の面ファスナーを設けた砂避け片と、
を備えたゴルフシューズであって、
前記砂避け片は、前記甲開き部の前端部裏面側に一端が取り付けられた舌片が、前記甲開き部の後端部上方で折り返され、つま先部の方向に向けて延設されたものであること、  を最も主要な特徴点としている。
【００１３】
また、本発明のゴルフシューズは、
左右甲被の間の甲開き部の周縁部に介設され、足甲部に周方向の伸縮性を与える伸縮部と、
この伸縮部の足甲部周方向両側の所要位置に設けた一方の面ファスナーと、
裏面に前記一方の面ファスナと係脱可能な他方の面ファスナーを設けた砂避け片と、
を備えたゴルフシューズであって、
前記砂避け片は、その一端が足甲部周方向に沿って甲被に固定され、他端が足甲部周方向と直交する向きに延設されたものであっても良い。
【発明の効果】
【００１４】
本発明のゴルフシューズは、甲開き部の周縁部に介設した伸縮部が足甲部の周方向に伸縮性を有するため、足を挿入した時点でその人の足甲部の高さに応じて伸縮部が伸びることによって最適なサイズが決定され、その後、砂避け片を足甲部の上方から被せると、伸縮部の足甲部周方向両側の所要位置に設けた一方の面ファスナーと、砂避け片の裏面に設けた他方の面ファスナーが係止され、砂避け片が足甲部に固定される。
【００１５】
このとき、砂避け片は、甲開き部の前端部裏面側に一端が取り付けられた舌片が甲開き部の後端部上方で折り返され、つま先部の方向に向けて延設されたものであるため、従来の面ファスナーを用いたゴルフシューズのように足甲部の周方向に不要な力を加えるおそれがない。従って、足を挿入したときに決定された最も適切な足甲部周方向のサイズをさらに締付けることなく、最適なサイズを維持したまま面ファスナーによる固定を行うことができる。
【００１６】
また、本発明では、甲開き部を覆う砂避け片は、その一端が足甲部周方向に沿って縫合等の手段により甲被と固定して、砂避け片を着脱するときの支点とし、一方の他端は足甲部周方向と直交する向きに延設して、面ファスナーによって足甲部と係止するように構成することも可能であり、その場合でも、上記と同様の効果が得られる。
【００１７】
なお、上記の場合、砂避け片の上下何れの端を甲被と固定しても良いが、砂避け片の上側の端を縫合等により甲被と固定し、下側の端をその裏面に取り付けた面ファスナーにより足甲部と係脱自在となるように構成する方が、砂避け片の係脱を行う際に、靴の中に砂が入り難いので、望ましい。
【００１８】
上記本発明のゴルフシューズにおいて、砂避け片に、足甲部の形状に沿うように弧状の芯材が内包されている場合は、平坦な砂避け片を足甲部の形状に沿わせるようにするために、足甲部の周方向に沿う方向に面ファスナーを係止する動作を防止できるので、足を挿入したときに決定された最も適切な足甲部周方向のサイズを、さらに確実に維持することができる。
【発明を実施するための最良の形態】
【００１９】
本発明のゴルフシューズは、左右甲被の間の甲開き部の周縁部に介設され、足甲部に周方向の伸縮性を与える伸縮部と、この伸縮部の足甲部周方向両側の所要位置に設けた一方の面ファスナーと、裏面に前記一方の面ファスナと係脱可能な他方の面ファスナーを設けた砂避け片と、を備えたゴルフシューズであって、足の形状の個人差にかかわらず、足甲部の締付け具合を最適なものとし、足を挿入したときに決定された最も適切な足甲部周方向のサイズをさらに締付けることなく、最適なサイズを維持したまま面ファスナーによる固定を行うという目的を、前記砂避け片を、前記甲開き部の前端部裏面側に一端が取り付けられた舌片が、前記甲開き部の後端部上方で折り返され、つま先部の方向に向けて延設されたものとすることによって実現した。
【００２０】
人の足甲部の高さには個人差があるが、本発明の「伸縮部」は、ゴルフシューズに足を挿入したときに、その人の足甲部の高さに追従して足甲部の周方向に伸縮するため、足を挿入した時点で最も適切でかつ自然な足甲部周方向のサイズを決定できる。伸縮部の材質は特に限定されないが、例えば、ゴムバンドや伸縮性の高い繊維からなる布帛などを使用することができる。また、足甲部の周方向と直交する向きに２〜１０条の蛇腹形の皺を持たせた生地を用いても良い。
【００２１】
本発明の「弧状の芯材」は、砂避け片の形状を最初から足甲部の形状に沿うものとするための部材であり、例えば、樹脂、金属など所要の素材で構成することができる。また、形状は、砂避け片の全域に内包させるように、弧状に曲げられた凹面状の部材としても良いし、例えば砂避け片の中央部又は先端部付近にのみ内包させるように、弧状に曲げられた棒状の部材としても良い。
【実施例】
【００２２】
以下、本発明を実施するための最良の形態について、図１〜図５を用いて説明する。
図１は本発明のゴルフシューズの一実施形態を示す図で、砂避け片７を持ち上げた状態で上方側からみた平面図、図２は砂避け片７を折り返した状態の平面図である。
【００２３】
本実施例のゴルフシューズＧは、図１に示すように、左右甲被１ａ，１ｂの間の甲開き部２の周縁部に介設され、足甲部３に周方向の伸縮性を与える伸縮部４と、この伸縮部４の足甲部周方向両側の所要位置に設けた一方の面ファスナー５ａ，５ｂと、裏面に前記一方の面ファスナ１ａ，１ｂと係脱可能な他方の面ファスナー６を設けた砂避け片７と、を備えている。
【００２４】
左右甲被１ａ，１ｂは、皮革や合成皮革あるいはこれらと同効の素材と合成繊維の織物を組み合わせて形成したものである。
【００２５】
甲開き部２は、左右甲被１ａ，１ｂが足甲部３の位置で切り欠かれたものであり、本実施例では、Ｕ字状に切り欠かれた甲開き部２を採用している。なお、本発明においては、甲開き部２は、Ｕ字状に限られることはなく、Ｖ字状、短冊状など所要の形状が採用できる。
【００２６】
伸縮部４は、図１に示すように、左右甲被１ａ，１ｂの間の甲開き部２の周縁部に介設される部材であり、本実施例ではゴムバンドを使用している。ゴルファーがゴルフシューズに足を挿入したときに、伸縮部４は、その人の足甲部の高さに追従して足甲部３の周方向（図３の紙面上で言えば上下方向）に伸縮する。そのため、ゴルファーが足を挿入した時点で最も適切で、かつ、その人にとって自然な足甲部周方向のサイズを自動的に決定することができる。なお、伸縮部４は、甲開き部２の周縁部の生地に縫合することにより介設したものである。
【００２７】
一方の面ファスナー５ａ，５ｂは、伸縮部４の足甲部周方向両側に設けている。本実施例では、図１に示すように、角を丸めた平行四辺形状のものを採用しているが、面ファスナー５ａ，５ｂの形状、設ける位置及び数は、これに限定されるものではない。例えば円形の面ファスナーを、伸縮部４の足甲部周方向両側に３箇所ずつ設けても良い。
【００２８】
砂避け片７の裏面には、一方の面ファスナ５ａ，５ｂと係脱可能な他方の面ファスナー６が設けられている。図１の例では、伸縮部４の足甲部周方向両側に縫合して取り付ける一方の面ファスナー５ａ，５ｂには、鈎型の素子を有する面ファスナー雄材を使用し、砂避け片７の裏面に縫合して取り付ける他方の面ファスナー６には、一方の面ファスナー５ａ，５ｂと係合可能なループ形の素子を有する編み部材をフィルム等の基材に積層した面ファスナー雌材を使用している。もっとも、面ファスナーの雄材と雌材は、逆転させても良い。なお、１０は、砂避け片７に内包させた弧状の芯材を示しているが、その詳細は後述する。
【００２９】
本実施例では、砂避け片７は、図１及び図２に示すように、甲開き部２の前端部裏面側に一端が取り付けられた舌片８が、甲開き部２の後端部上方で折り返され、つま先部９の方向に向けて延設されたものを採用している。
【００３０】
次に、以上のように構成された本発明のゴルフシューズの作用・効果について、説明する。本発明のゴルフシューズでは、甲開き部２の周縁部に介設した伸縮部４が足甲部３の周方向に伸縮性を有するため、ゴルファーがプレーを開始する前に足を挿入した時点で、その人の足甲部の高さに応じて伸縮部が伸びることによって最適なサイズが自然と決定される。
【００３１】
そして、その後、甲開き部２の前端部裏面側に一端が取り付けられた舌片８を延設した砂避け片７を、甲開き部２の後端部上方で折り返して足甲部３の上面に覆うように被せると、伸縮部４の足甲部周方向両側の所要位置に設けた一方の面ファスナー５ａ，５ｂと、砂避け片７の裏面に設けた他方の面ファスナー６が係止され、砂避け片７が足甲部３に固定される。
【００３２】
面ファスナーを利用した従来のゴルフシューズでは、足甲の周方向に沿って延設されたベルト部の先端に面ファスナーを設けるため、無意識の内に足甲部を締め付け過ぎるという問題点があったが、本発明では、砂避け片７は、甲開き部２の前端部裏面側に一端が取り付けられた舌片８が甲開き部２の後端部上方で折り返され、つま先部９の方向に向けて延設されたものであるため、足を挿入したときに決定された最も適切な足甲部周方向のサイズをさらに締付けることなく、最適なサイズを維持したまま一方の面ファスナー５ａ，５ｂと他方の面ファスナー６を係止させることができる。
【００３３】
また、本発明によれば、砂避け片７は、一方の面ファスナー５ａ，５ｂと他方の面ファスナー６の係止により足甲部３にしっかりと固定されるため、砂避け片７が風になびいて裏返り、甲開き部２と舌片８の隙間から靴の内部に砂や雑草が入り込むという問題が生じることもない。また、一方の面ファスナー５ａ，５ｂと他方の面ファスナー６の係脱によって靴を脱いだり履いたりできるので、従来の靴紐を用いたゴルフシューズのように、靴を脱いだり履いたりするときに手間取ることもない。
【００３４】
図３は、本実施例の靴下の側面図である。図３に示すように、本実施例では、甲開き部２の前端部裏面側に一端が取り付けられた舌片８が、甲開き部２の後端部上方で折り返され、つま先部９の方向に延設させて砂避け片７を構成している。
【００３５】
ここで、本発明では、以下のような構成の砂避け片（図示はしない）も採用できる。例えば、足開き部２の前端部表面側よりもさらにつま先部９寄りの所要の位置に、砂避け片の一端を足甲部周方向に沿って縫合等の手段により固定し、砂避け片の他端をつま先部９側から踵部１１側に向けて足甲部周方向と直交する向きに延設させた構成としても良い。また、本実施例のように舌片８を折り返すのではなく、舌片８の上端部付近の位置に、砂避け片の一端を足甲部周方向に沿って縫合等の手段により固定し、砂避け片の他端を、踵部１１側からつま先部９側に向けて足甲部周方向と直交する向きに延設させた構成としても良い。
【００３６】
上記何れの構成によっても、ゴルファーが足を挿入したときに決定された最も適切な足甲部周方向のサイズをさらに締付けることなく、最適なサイズを維持したまま一方の面ファスナー５ａ，５ｂと他方の面ファスナー６を係止させることができるという同様の効果が得られる。
【００３７】
図４は、本実施例のゴルフシューズＧの底面部を表した図面である。図３及び図４に示すように、ゴルフシューズＧの底面には、ゴム、合成樹脂又はこれらの組み合わせからなる素材で形成された靴底が、甲被１ａ，１ｂの下方に接着又は縫着されている。
【００３８】
１２ａ，１２ｂ，１２ｃ，１２ｄ，１２ｅ，１２ｆ，１２ｇは、ゴルファーが安定してスイング動作が行えるように地面をしっかりと捉えるために設けられた円形の鋲を示している。円形の鋲１２ａ乃至１２ｇの内部には、６個の突起が放射状に等間隔に取り付けられている。また、１３ａ及び１３ｃは、歩行動作が円滑に行えるように、かかと部１１とつま先部９の底面に設けたラバーを示している。
【００３９】
また、ゴルフシューズＧの底面部の周縁部にもトラック状の鋲１４を設けており、安定感を高めるようにしている。また、底面部の中央部付近には、つま先部９の方向に尖った「く」の字状の鋲１５ｂを中心として、全体としてつま先部９の方向に尖った形を形成するように、トラック状の鋲１５ａ，１５ｃを取り付けている。
【００４０】
図５は、砂避け片７に弧状の芯材１０を内包させた本発明のより望ましい実施形態を説明する図である。
【００４１】
前述したように、本発明のゴルフシューズＧは、左右甲被１ａ，１ｂの間の甲開き部２の周縁部に介設され、足甲部３に周方向の伸縮性を与える伸縮部４と、この伸縮部４の足甲部周方向両側の所要位置に設けた一方の面ファスナー５ａ，５ｂと、裏面に前記一方の面ファスナ５ａ，５ｂと係脱可能な他方の面ファスナー６を設けた砂避け片７とを備え、前記砂避け片７を、甲開き部２の前端部裏面側に一端が取り付けられた舌片８が、甲開き部２の後端部上方で折り返され、つま先部９の方向に向けて延設された構成としたので、足の形状の個人差にかかわらず、足甲部３の締付け具合を最適なものとし、足を挿入したときに決定された最も適切な足甲部周方向のサイズをさらに締付けることなく、最適なサイズを維持したまま面ファスナー５ａ，５ｂ，６による固定を行うという目的を達成することができる。
【００４２】
しかしながら、砂避け片７は、合成皮革等の素材で構成される薄い部材であるため、上記のように構成していても、ゴルファーが、砂避け片７を足甲部３に固定するときに、例えば最初に右側の面ファスナー５ｂのみを係止させ、足甲部３の周方向に力を加えて、左側の面ファスナー５ａを係止させる場合には、足を挿入したときに決定された最も適切な足甲部周方向のサイズが縮小され、不要な締め付けを行ってしまうおそれがある。
【００４３】
そこで、上記の問題点を解決するために、本実施例のゴルフシューズＧでは、砂避け片７の中央部よりもやや先端部寄りの位置の内部に、足甲部３の周方向の形状に沿うように金属製の棒状の部材を弧状に曲げた、弧状の芯材１０を足甲部３の周方向に向きに内包させた。
【００４４】
このようにすれば、ゴルファーが、平坦な砂避け片７を足甲部３の形状に沿わせるようにするために、例えば最初に右側の面ファスナー５ｂのみを係止させ、足甲部３の周方向に力を加えて、左側の面ファスナー５ａを係止させるような動作を行うことを防止でき、左右の面ファスナー５ａ，５ｂは同時に他方の面ファスナー６と係止されるので、足を挿入したときに決定された最も適切な足甲部周方向のサイズを、さらに確実に維持することができる。
【００４５】
本発明は上記の例に限らず、各請求項に記載された技術的思想の範囲内で、適宜実施の形態を変更しても良いことは言うまでもない。例えば、図１の実施例では、Ｕ字状に切り欠かれた甲開き部２に伸縮部４を介設しているが、甲開き部２の形状はＶ字状、短冊状等どのような形状であっても良い。
【００４６】
以上説明したように、本発明のゴルフシューズは、左右甲被の間の甲開き部の周縁部に介設され、足甲部に周方向の伸縮性を与える伸縮部と、この伸縮部の足甲部周方向両側の所要位置に設けた一方の面ファスナーと、裏面に前記一方の面ファスナと係脱可能な他方の面ファスナーを設けた砂避け片と、を備え、前記砂避け片は、前記甲開き部の前端部裏面側に一端が取り付けられた舌片が、前記甲開き部の後端部上方で折り返され、つま先部の方向に向けて延設された構成としたので、足を挿入したときに決定された最も適切な足甲部周方向のサイズをさらに締付けることなく、最適なサイズを維持したまま面ファスナーによる固定を行うことができる。また、砂避け片の一端が足甲部周方向に沿って甲被と固定され、他端が足甲部周方向と直交する向きに延設された構成の本発明のゴルフシューズも、同様の効果が得られる。
【００４７】
そして、このようにすることで、足の形状の個人差によらず最適な足甲部の締付け具合を維持できるので、ラウンド中にあっても足の血流を損なうことがなく、従来のゴルフシューズと比較すると、長時間履いても疲労感を感じさせないという効果も得られる。
【産業上の利用可能性】
【００４８】
本発明のゴルフシューズは、男女や年齢層を問わず適用できるものであり、特にシニアのゴルファーに最適なものである。
【図面の簡単な説明】
【００４９】
【図１】砂避け片を持ち上げた状態の本発明のゴルフシューズの一実施例の平面図である。
【図２】砂避け片を折り返した状態の本実施例のゴルフシューズの平面図である。
【図３】砂避け片を折り返した状態の本実施例のゴルフシューズの側面図である。
【図４】本実施例のゴルフシューズの底面図である。
【図５】砂避け片に内包させる弧状の芯材の構成を説明する図である。
【図６】靴紐を備えた従来のゴルフシューズの説明図である。
【図７】砂避け片を備えた従来のゴルフシューズの説明図である。
【図８】面ファスナーを備えた従来のゴルフシューズの説明図である。
【符号の説明】
【００５０】
Ｇ  ゴルフシューズ
１ａ，１ｂ  甲被
２  甲開き部
３  足甲部
４  伸縮部
５ａ，５ｂ  一方の面ファスナー
６  他方の面ファスナー
７  砂避け片
８  舌片
９  つま先部
１０  弧状の芯材
【図１】
2009034334.tif 000003
【図２】
2009034334.tif 000004
【図３】
2009034334.tif 000005
【図４】
2009034334.tif 000006
【図５】
2009034334.tif 000007
【図６】
2009034334.tif 000008
【図７】
2009034334.tif 000009
【図８】
2009034334.tif 000010